(57)【要約】【課題】  １コマ前の撮影コマの設定に戻したい時の操作性向上を目的とする。【課題】  モードを前の撮影コマの設定に自動復帰するところのいわゆるＵＮＤＯ機能をカメラに持たせることにより、撮影者の記憶を頼りに前の状態に設定し直す場合の手間が省け、かつ記憶間違いのない設定を可能とした。また、このＵＮＤＯ機能実行操作前の設定状態に再セットするいわゆるＲＥＤＯ機能も備え、さらには事情によりＵＮＤＯ機能が実行出来ないときは警告を発する、もしくは１コマ前の撮影時設定状態と最も近い状態に自動的にセットすることにより、いっそう撮影者にとって使いやすいカメラを提供した。【選択図】        図１
2005221623.tif 000002
【特許請求の範囲】
【請求項１】
撮影者が設定可能なひとつあるいは複数の設定モードに対して、前の設定状態に自動復帰するいわゆるＵＮＤＯ機能を備え、該ＵＮＤＯ機能を実行する操作を行うことにより、１コマ前の撮影時設定状態に自動的にセットすることを特徴とするカメラ。
【請求項２】
請求項１において、該ＵＮＤＯ機能実行操作後、ＵＮＤＯ機能実行操作前の設定状態に再セットするいわゆるＲＥＤＯ機能を備えたことを特徴とするカメラ。
【請求項３】
請求項１において、該ＵＮＤＯ機能実行操作時、１コマ前の撮影時設定状態にセット出来ない場合は警告を発することを特徴とするカメラ。
【請求項４】
請求項１において、該ＵＮＤＯ機能実行操作時、１コマ前の撮影時設定状態にセット出来ない場合は、１コマ前の撮影時設定状態と最も近い状態に自動的にセットすることを特徴とするカメラ。
【発明の詳細な説明】
【技術分野】
【０００１】
本発明は、複数の撮影設定状態に設定可能なカメラのシーケンスに関するものである。
【背景技術】
【０００２】
図３に一般的なカメラのブロック図を示す。図３において、１はカメラ全体を制御するところのシーケンスコントローラ、２は撮影モード、測光モード、オートフォーカスモードなどの諸モードを設定するための、ダイヤルやボタン等のモード設定部材、３は２で設定されたモードや撮影コマ数等を表示するところのＬＣＤパネル等の表示パネル、４は被写体輝度を測るところの測光センサーを含む公知の測光回路、５は撮影レンズ、６はオートフォーカスを行うための公知のオートフォーカス回路、７はシャッター等のフィルム露光装置、８はフィルム給送装置、９は測光およびオートフォーカス動作およびフィルム露光等の一連のレリーズ動作を起動するところのレリーズＳＷ、１０はカメラ全体に電源を供給するところの電池、である。
【０００３】
上記のカメラによる一連の操作＆撮影シーケンスを示すフローチャートを図４に示す。図４において、まずモード設定部材２によるモード変更操作を行ったかどうかをチェックし（＃５０１）モード変更操作が行われたなら操作に応じたモード変更を行い（＃５０２）初期状態に戻る。例えば測光モードが平均測光からスポット測光に切り換えられたらスポット測光設定にする。＃５０１でモード変更操作がなされなかったら、次にレリーズＳＷ９がＯＮされたかどうかをチェックし（＃５０３）、ＯＮでなければ初期状態に戻り、ＯＮであれば設定されているモードに応じた一連のレリーズ動作（測光、オートフォーカス、フィルム露光、フィルム給送）を行い（＃５０４）、レリーズＳＷのＯＦＦを待って（＃５０５）初期状態に戻る。
【特許文献１】特開２０００−１３８８６０号公報
【発明の開示】
【発明が解決しようとする課題】
【０００４】
上記従来例では、撮影者がレリーズ毎にモード設定部材２によりモードを設定してレリーズ動作を行うのであるが、いざレリーズしようとする時に１コマ前の撮影コマの設定に戻したい時もある。そういった場合、撮影者の記憶を頼りに前の状態に設定し直す訳であるが、場合によっては思い出せないときもある。特に前のレリーズ後にモードを変更してしまい、それから相当な時間が経っていると、思い出すのは至難であろう。
【０００５】
本発明は、以上の点に着目して成されたもので、１コマ前の撮影コマの設定に戻したい時の操作性向上を目的とするカメラを提供することである。
【課題を解決するための手段】
【０００６】
本発明によれば、モードを前の撮影コマの設定に自動復帰するところのいわゆるＵＮＤＯ機能をカメラに持たせたことにより、上記問題点を解決したものである。また、このＵＮＤＯ機能実行操作前の設定状態に再セットするいわゆるＲＥＤＯ機能も備え、さらには事情によりＵＮＤＯ機能が実行出来ないときは警告を発する、もしくは１コマ前の撮影時設定状態と最も近い状態に自動的にセットすることにより、いっそう撮影者にとって使いやすいカメラを提供することができるものである。
【０００７】
すなわち、本発明の技術内容は以下の構成を備えることにより前記課題を解決できた。
【０００８】
（１）撮影者が設定可能なひとつあるいは複数の設定モードに対して、前の設定状態に自動復帰するいわゆるＵＮＤＯ機能を備え、該ＵＮＤＯ機能を実行する操作を行うことにより、１コマ前の撮影時設定状態に自動的にセットすることを特徴とするカメラ。
【０００９】
（２）前記（１）において、該ＵＮＤＯ機能実行操作後、ＵＮＤＯ機能実行操作前の設定状態に再セットするいわゆるＲＥＤＯ機能を備えたことを特徴とするカメラ。
【００１０】
（３）前記（１）において、該ＵＮＤＯ機能実行操作時、１コマ前の撮影時設定状態にセット出来ない場合は警告を発することを特徴とするカメラ。
【００１１】
（４）前記（１）において、該ＵＮＤＯ機能実行操作時、１コマ前の撮影時設定状態にセット出来ない場合は、１コマ前の撮影時設定状態と最も近い状態に自動的にセットすることを特徴とするカメラ。
【発明の効果】
【００１２】
本発明によれば、モードを前の撮影コマの設定に自動復帰するところのいわゆるＵＮＤＯ機能をカメラに持たせることにより、撮影者の記憶を頼りに前の状態に設定し直す場合の手間が省け、かつ記憶間違いのない設定が可能となる。また、このＵＮＤＯ機能実行操作前の設定状態に再セットするいわゆるＲＥＤＯ機能も備え、さらには事情によりＵＮＤＯ機能が実行出来ないときは警告を発する、もしくは１コマ前の撮影時設定状態と最も近い状態に自動的にセットすることにより、いっそう撮影者にとって使いやすいカメラを提供するものである。
【発明を実施するための最良の形態】
【００１３】
以下本発明を実施するための最良の形態を、実施例により詳しく説明する。
【実施例】
【００１４】
本発明の実施例を示すブロック図を図１に示す。なお図１のブロック図で１〜１０は従来例を示す図３中の１〜１０と同様であり、説明を省略する。
【００１５】
図１において、１１はカメラ内で必要に応じてモードを記憶するための不揮発性メモリとしてのＥＥＰＲＯＭ、１２は設定モードを前の撮影コマの設定に自動復帰するところのいわゆるＵＮＤＯ機能を実行するためのＵＮＤＯスイッチ、１３はＵＮＤＯ機能実行操作前の設定状態に再セットするいわゆるＲＥＤＯ機能を実行するためのＲＥＤＯスイッチ、である。このブロック図を用いた動作シーケンスを図２のフローチャートを用いて説明する。図２において、モードＡは現在設定している設定モード、モードＢは前の撮影コマの設定モードを意味するものとする。
【００１６】
図２において、まずモード設定部材２によるモード変更操作を行ったかどうかをチェックし（＃１０１）モード変更操作が行われたなら操作に応じたモード変更を行い（＃１０２）、そのモードをモードＡとしてカメラ内に記憶し（＃１０３）初期状態に戻る。例えば測光モードが平均測光からスポット測光に切り換えられたらスポット測光設定にし、モードＡを「スポット測光」にする。＃１０１でモード変更操作がなされなかったら、次にＵＮＤＯスイッチ１２がＯＮされたかどうかをチェックし（＃１０４）、ＯＮであれば次に１コマ前の撮影コマの設定モードであるモードＢに設定出来るかどうかを判定する（＃１１０）。例えば撮影レンズの都合により測光モードがスポット測光で撮影出来ないときはモードＢに設定出来ないとしてアラーム音を鳴らしたり表示を警告表示にしたりする事による警告動作を行う（＃１１３）。＃１１０で１コマ前の撮影コマの設定モードであるモードＢに設定出来る場合はモードＢを設定モードとし（＃１１１）、ＵＮＤＯスイッチのＯＦＦを待って（＃１１２）初期状態に戻る。＃１０４でＵＮＤＯスイッチがＯＦＦであれば次にＲＥＤＯスイッチがＯＮかどうかをチェックする（＃１０５）。＃１０５でＲＥＤＯスイッチがＯＮであればＵＮＤＯ機能実行操作前の設定状態に再セットするために設定モードをモードＡに戻し（＃１１４）、ＲＥＤＯスイッチがＯＦＦされるのを待って（＃１１５）初期状態に戻る。＃１０５でＲＥＤＯスイッチがＯＦＦであったなら次にレリーズＳＷ９がＯＮであるかどうかをチェックし（＃１０６）、ＯＦＦであれば初期状態に戻り、ＯＮであれば設定されているモードに応じた一連のレリーズ動作（測光、オートフォーカス、フィルム露光、フィルム給送）を行い（＃１０７）、その時の設定モードをモードＢとして記憶し（＃１０８）、レリーズＳＷのＯＦＦを待って（＃１０９）初期状態に戻る。
【００１７】
上記実施例は、ＵＮＤＯ機能が１コマ前の撮影コマ状態に戻すまでしか対応していないが、過去の複数コマの撮影時モードを記憶しておくことにより、ＵＮＤＯスイッチを連続的に押すことで何コマも前の撮影コマ時のモードに戻すようにすることも可能である。
【００１８】
また、事情によりＵＮＤＯ機能が実行出来ないときは警告を発するようにしているが、そのままの実行は出来ずとも、１コマ前の撮影時設定状態と最も近い状態に自動的にセットするようにすることもできる。例えば測光モードがスポット測光、部分測光、平均測光の３モードを備え、前のコマがスポット測光で撮影され、今現在の撮影レンズの都合によりスポット測光での撮影が出来ないとき、スポット測光でなくともスポット測光に近いモードである部分測光で撮影するようにするのである。
【００１９】
以上説明したように、モードを前の撮影コマの設定に自動復帰するところのいわゆるＵＮＤＯ機能をカメラに持たせることにより、撮影者の記憶を頼りに前の状態に設定し直すといった手間が省け、かつ記憶間違いのない設定が可能となった。また、このＵＮＤＯ機能実行操作前の設定状態に再セットするいわゆるＲＥＤＯ機能も備え、さらには事情によりＵＮＤＯ機能が実行出来ないときは警告を発する、もしくは１コマ前の撮影時設定状態と最も近い状態に自動的にセットすることにより、いっそう撮影者にとって使いやすいカメラを提供した。
【図面の簡単な説明】
【００２０】
【図１】本発明の実施例を実施するためのカメラのブロック図
【図２】本発明の実施例を実施するためのフローチャート
【図３】本発明の従来例を説明するためのカメラのブロック図
【図４】本発明の従来例を説明するためのフローチャート
【符号の説明】
【００２１】
１１  ＥＥＰＲＯＭ
１２  ＵＮＤＯスイッチ
１３  ＲＥＤＯスイッチ
【図１】
2005221623.tif 000003
【図２】
2005221623.tif 000004
【図３】
2005221623.tif 000005
【図４】
2005221623.tif 000006